【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
円形周面Ａに分度目盛を表示してなる、板体を扇形状に形成した分度盤Ｃには、該円形周面Ａと対称位置に中心目盛90°からの延長線と直交する方向にパチンコ機の盤面に押し当て可能な当接面Ｂが形成され、且つ該円形周面Ａと該当接面Ｂとの間隔が釘長よりも短く、該当接面に接して目盛90°からの延長線上に線状目印を設けて釘角度測定のため釘を沿わせる基準線としたことを特徴とするパチンコ釘角度測定ゲージ。
【請求項２】
分度盤Ｃは、該円形周面Ａ上の中心面を目盛90°として目盛が刻まれていることを特徴とする請求項１記載のパチンコ釘角度測定ゲージ。
【手続補正２】
【補正対象書類名】明細書
【補正対象項目名】全文
【補正方法】変更
【補正の内容】
【発明の詳細な説明】
【発明の名称】パチンコ釘角度測定ゲージ
【技術分野】
【０００１】
本発明は、パチンコ機の盤面上に打ち込まれた多数本の釘角度を測定し、所定の角度に調整するためのパチンコ釘角度測定ゲージに関するものである。
【背景技術】
【０００２】
大衆の遊戯娯楽機として長年パチンコが楽しまれており、駅の周辺や商店街等において多数のパチンコ店が営業している。パチンコは、遊戯玉を打ち、入賞すると決められた遊戯玉が遊戯者（客）に還元され、遊戯玉の数によって商品が提供され、遊戯者に利益がもたらされるものである。
パチンコ機の盤面には多数本の釘が打ち込まれており、遊戯玉を一定の方向に案内をしたり、入賞口に遊戯玉を誘導するようになっている。通常、釘はパチンコ機メーカーで所定の位置に打たれた状態で出荷されるが、この時点では釘の向きは一定ではなくバラバラの状態である。
【０００３】
このため、各パチンコ店ではパチンコ機の購入後に店に方針に基づいて全ての釘の角度調整を行っている。更に、店の閉店後あるいは開店前に必要な箇所の釘の角度調整を行い、特に、入賞口に面する釘や入賞口に案内する釘の角度を調整することで各パチンコ機の、その日の出球率を制御している。
【０００４】
このような釘の調整は、非常に難しく熟練を要するために通常は釘師と呼ばれる専門家によってなされている。しかし、近年、釘師の数が少なく、パチンコ店ではその確保に苦慮しているが、熟練を要することなく釘角度を測定し、調整するための角度測定具が望まれ、各種の角度測定具が知られている。
【０００５】
例えば、特許文献１には、直線辺４（本発明の当接面に相当）とそれと対称位置にある対偶辺６（本発明の円周面に機能的に類似）との間隔が大きく、測定すべき釘以外の釘や役物等が邪魔になって効率よく測定ができない分度盤式のパチンコ台釘角角度測定器が示されている。その場合に、釘も分度盤内に設けたスリット１３（凹部１２）内に挿入させなければならず、複雑な構造になっている（特に、図１参照）。
また、特許文献２には、パチンコ台の盤面に接する台座７上に、円状目盛１４付き環状部材５が設けられ、該環状部材の中心に目盛１６付き十字状スリットを形成し、これに盤面の釘を差し込み、釘の角度を測定するジャイロスコープ式分度盤が示されている。その場合に台座７の巾間隔が大きく長さも長いので、パチンコ台の比較的狭い釘間隔では釘角度測定には不十分であると共に、その構造も複雑である（特に、図１、２参照）。
更に、特許文献３には、２枚の目盛８付き扇状固定部材１とその下端部に回動自在に軸支２する細長状可動部材３とからなり、その当接面７が盤面に接した状態で可動部材３のレバー１０を操作して釘１２の角度を目盛８で間接的に測定する分度盤式のパチンコ釘角度測定ゲージが示されている。その場合に、脚部６や当接面７の巾間隔が大きいと共に、その長さも長く、釘角度測定には不十分であると共に、その構造も複雑である（特に、図２参照）。
【０００６】
【特許文献１】特開平１０−３００４０４公報
【特許文献２】特開平９−１８２８３２公報
【特許文献３】特開平９−９４３２６公報
【発明の開示】
【発明が解決しようとする課題】
【０００７】
従来のパチンコ台では、限定された広さのパチンコ機盤面に多数の釘が打たれており、釘の間隔も狭く、また役物も配置してある等と種々の障害物があり、一義的に盤面の釘角度を測定することは容易でない。
【０００８】
本発明は、上記する従来の公知技術の課題に鑑み、熟練を要することなく短時間で簡単に釘角度を測定し、角度調整を可能としたパチンコ釘角度測定ゲージを提供することを目的とするものである。
【課題を解決するための手段】
【０００９】
上記の目的を達成するために、本発明者は種々検討した結果、パチンコ釘角度測定ゲージは、（イ）板体を扇形状に形成し、（盤面に打たれた多数の釘を避け易い）（ロ）円形周面Ａに分度目盛を表示してなる分度盤Ｃ（釘角度測定のため）、（ハ）該円形周面Ａと対称位置に中心目盛90°からの延長線と直交する方向にパチンコ機の盤面に押し当て可能な当接面Ｂが形成され（釘角度測定の基準となる当接面の設定）、（ニ）該円形周面Ａと該当接面Ｂとの間隔が釘長よりも短く（釘の頭部が邪魔しない）、（ホ）該当接面に接して目盛90°からの延長線上に線状目印を設けて基点とした（釘角度の測定に当たり、釘を正確に沿わせ易い）構成とした。
【発明の効果】
【００１０】
（イ）全体形状を扇形とした分度盤は板体で形成されているので、釘と釘や釘と役物等の狭い空間に入れて特定の釘角度の測定が可能である利点がある。
（ロ）分度盤の円形周面と当接面との間隔が釘長よりも短くなっているので、分度盤の測定面と釘の側面とを平行にすることができ、釘の頭部が邪魔にならず、角度測定の精度を高めることができる。
（ハ）しかも、単体で片手で持ちやすく、測定操作がし易いので、角度測定を効率よく行うことが可能である。更に、熟練を要することなく釘角度の調整を行うことができ、入賞率や出玉率を制御することができる。
（ニ）当接面に接して目盛90°からの延長線上に線状目印を設けて釘角度測定のため釘を沿わせる基準線としたので、釘を正確に線状目印に沿わせ易く、釘角度の測定が容易である。
（ホ）分度盤Ｃの目盛が円形周面Ａ上の中心面を目盛90°として目盛が刻まれているので、釘の角度測定が容易である。
【発明を実施するための最良の形態】
【００１１】
以下、図面に従って本発明を詳細に説明する。
図１は、本発明パチンコ釘角度測定ゲージの全体像を示す１つの形態を示す。  図１において、種々の公知の材料から板体を用意し、それを扇形状に加工して分度盤１を形成する。この分度盤１の円形周面２に沿って度数目盛３が表示してある。度数目盛３は、円形周面の中心位置を９０°とし、その両側に１°ずつの目盛を形成したものである。
【００１２】
円形周面２によって形成される分度盤１の中心目盛９０°からの延長線と直交する方向に当接面４を形成する。
そして、円形周面２とは対称位置にある当接面４に接して目盛９０°からの延長線上に線状目印５を、正確に釘角度測定のための釘７を沿わせる基準線とする。
この当接面４は、後記するパチンコ機の盤面６に押し当てる面であり、円形周面２と当接面４との間隔が、盤面に打ち込まれている釘の長さよりも短く形成する必要があり、これによって釘角度測定時に分度盤が邪魔になることがない。
【００１３】
本発明パチンコ釘角度測定ゲージは上記の構成であり、次に釘角度の測定について説明する。
図２は、パチンコ盤面６に打ち込んである釘７の横から釘の垂直（上下）方向の傾斜角度を見たゲージ使用状態図である。
即ち、測定すべき釘７の側面に接し分度盤１を垂直に立て、当接面４を盤面６に押し当てる。この時、釘７の頭部８は、分度盤１の円形周面２よりも外側に位置し、この状態で釘７の打ち込み基部と前記線状目印５を合せることで盤面６に対する釘７の傾斜角度を正確に測定できる。
図２では釘７は９０°を示しており、例えば、釘７を上方へ２°或いは下方は３°傾斜させたい場合にはハンマーやペンチ等を使用して釘７の頭部８を打てばよい。
分度盤１は片手で持つことができるので、他方の手でハンマーやペンチを持ち、角度調整作業を行うことが可能である。
【００１４】
図３は、視野がパチンコ盤面６上方から打ち込んである釘７を左右方向に見たゲージ使用状態図である。
即ち、釘７の水平（左右）方向の角度測定を行う場合には、図３に示すように、分度盤１を釘７の下面に押し当てて水平状態にし、当接面４を盤面６に押し当てればよく、釘７の水平方向の傾斜角度を測定することができる。
【００１５】
本発明のパチンコ釘角度測定ゲージを使用すれば熟練を要することなく釘の角度測定および角度調整を行うことができ、各パチンコ店では店員にゲージを持たせることで出玉率を制御することができる。
【図面の簡単な説明】
【００１６】
【図１】本発明パチンコ釘角度測定ゲージの全体像について１つの形態を示す。
【図２】パチンコ盤面６に打ち込んである釘７の横から釘の垂直（上下）方向の傾斜角度を正面から見た状態図である。
【図３】視野がパチンコ盤面６上方から打ち込んである釘７を左右方向に見た状態平面図である。
【符号の説明】
【００１７】
１  分度盤
２  円形周面
３  分度目盛
４  当接面
５  線状目印
６  パチンコ機盤面
７  釘
８  頭部
【手続補正３】
【補正対象書類名】図面
【補正対象項目名】全図
【補正方法】変更
【補正の内容】
【図１】
2005000686.tif 000001
【図２】
2005000686.tif 000002
【図３】
2005000686.tif 000003